(57)【要約】【課題】  簡易的にガスの残量確認ができると共に小型かつ安価であり、人為的なミスの発生を抑制可能なポータブルガス流量タイマーを提供すること。【解決手段】  ボンベの圧力と流量とを手動で入力設定可能な入力設定操作部２と、ボンベの使用限界圧力を記憶しているメモリ部３と、ボンベの圧力が使用限界圧力となるまでの残量時間を算出する演算手段４と、スタートスイッチの操作によって残量時間のダウンカウントを開始するタイマー手段５と、ダウンカウントされる残量時間の残り時間を表示する表示部６と、残り時間がゼロになったときに警告音を鳴らす警告手段７と、上記各部、各手段を収納するケース部とを備え、警告手段が、入力設定操作部で圧力と流量との入力がされてから所定の待機時間内にスタートスイッチが操作されなかった場合にスタートスイッチの押し忘れ防止のために警告音を鳴らす。【選択図】      図２
2015116358.tif 000002
【特許請求の範囲】
【請求項１】
ボンベの圧力と流量とを手動で入力設定可能でスタートスイッチを有する入力設定操作部と、
前記ボンベの使用限界圧力を記憶しているメモリ部と、
入力された前記圧力と前記流量とに基づいて前記ボンベの圧力が前記使用限界圧力となるまでの残量時間を算出する演算手段と、
前記スタートスイッチの操作によって前記残量時間のダウンカウントを開始するタイマー手段と、
前記ダウンカウントされる前記残量時間の残り時間を表示する表示部と、
前記残り時間がゼロになったときに警告音を鳴らす警告手段と、
前記入力設定操作部、前記メモリ部、前記演算手段、前記タイマー手段、前記表示部及び前記警告手段とを収納するケース部とを備え、
前記警告手段が、前記入力設定操作部で前記圧力と前記流量との入力がされてから所定の待機時間内に前記スタートスイッチが操作されなかった場合に前記スタートスイッチの押し忘れ防止のために警告音を鳴らすことを特徴とするポータブルガス残量タイマー。
【請求項２】
請求項１に記載のポータブルガス残量タイマーにおいて、
前記警告手段が、前記スタートスイッチが操作されてから所定時間経過時に設定した前記圧力と前記流量との確認を促すための警告音を鳴らすことを特徴とするポータブルガス残量タイマー。
【請求項３】
請求項１又は２に記載のポータブルガス残量タイマーにおいて、
前記演算手段が、前記ダウンカウント時に前記残り時間に応じて前記ボンベの残圧値を算出し、
前記表示部が、前記残圧値も表示することを特徴とするポータブルガス残量タイマー。
【請求項４】
請求項１から３のいずれか一項に記載のポータブルガス残量タイマーにおいて、
前記入力設定操作部が、前記メモリ部に記憶させる前記使用限界圧力を手動で入力設定可能であることを特徴とするポータブルガス残量タイマー。
【請求項５】
請求項１から４のいずれか一項に記載のポータブルガス残量タイマーにおいて、
前記メモリ部が、前記使用限界圧力として大流量用限界圧力値と前記大流量用限界圧力値よりも小さい小流量用限界圧力値とを予め記憶しており、
前記演算手段が、入力された前記流量が所定流量を超えている場合に前記使用限界圧力を前記大流量用限界圧力値に設定して前記算出を行い、入力された前記流量が所定流量以下である場合に前記使用限界圧力を前記小流量用限界圧力値に設定して前記算出を行うことを特徴とするポータブルガス残量タイマー。
【発明の詳細な説明】
【技術分野】
【０００１】
本発明は、医療用酸素ボンベなどのボンベの残量時間を表示して使用限界圧力になると警報音を鳴らすポータブルガス残量タイマーに関する。
【背景技術】
【０００２】
人工呼吸器を装着している患者を検査室等に移動する際に、医療用酸素ボンベ内のガスが無くなると、患者の呼吸状態に影響を与えてしまう場合があることから、医療現場では、酸素残量の確認作業を看護師等に徹底させる等の対応がとられている。しかしながら、多忙な業務をこなしている看護師等は、残量計算などを含む酸素残量の確認作業は非常に煩雑な作業であり、確認ミスや計算ミス等の人為的ミスが発生する場合があった。
そのため、従来、酸素残量を自動的に検出して危険を知らせるフェールセーフ装置が提案されている（例えば、特許文献１等）。
【先行技術文献】
【特許文献】
【０００３】
【特許文献１】特開２００３−１２６２５６号公報
【発明の概要】
【発明が解決しようとする課題】
【０００４】
上記従来の技術には、以下の課題が残されている。
すなわち、従来の酸素残量を自動検出して警告を発する装置では、ボンベの圧力を検出するためにボンベやレギュレータ等を改造して装置を組み込む必要があるという不都合があった。このため、容易に取り付けができず、ボンベの種類やバルブ形式の種類によっては使用できない場合がある等、汎用性に劣っていた。また、装置自体が複雑かつ大型になってしまうと共に、高価になってしまう問題があり、実際には医療現場において普及していない現状であった。
【０００５】
本発明は、前述の課題に鑑みてなされたもので、簡易的にガスの残量確認ができると共に小型かつ安価であり、人為的なミスの発生を抑制可能なポータブルガス流量タイマーを提供することを目的とする。
【課題を解決するための手段】
【０００６】
本発明は、前記課題を解決するために以下の構成を採用した。すなわち、第１の発明に係るポータブルガス流量タイマーは、ボンベの圧力と流量とを手動で入力設定可能でスタートスイッチを有する入力設定操作部と、前記ボンベの使用限界圧力を記憶しているメモリ部と、入力された前記圧力と前記流量とに基づいて前記ボンベの圧力が前記使用限界圧力となるまでの残量時間を算出する演算手段と、前記スタートスイッチの操作によって前記残量時間のダウンカウントを開始するタイマー手段と、前記ダウンカウントされる前記残量時間の残り時間を表示する表示部と、前記残り時間がゼロになったときに警告音を鳴らす警告手段と、前記入力設定操作部、前記メモリ部、前記演算手段、前記タイマー手段、前記表示部及び前記警告手段とを収納するケース部とを備え、前記警告手段が、前記入力設定操作部で前記圧力と前記流量との入力がされてから所定の待機時間内に前記スタートスイッチが操作されなかった場合に前記スタートスイッチの押し忘れ防止のために警告音を鳴らすことを特徴とする。
【０００７】
このポータブルガス残量タイマーでは、警告手段が、入力設定操作部で圧力と流量との入力がされてから所定の待機時間内にスタートスイッチが操作されなかった場合にスタートスイッチの押し忘れ防止のために警告音を鳴らすので、看護師等が圧力と流量とを入力したがスタートスイッチを押し忘れてしまった場合でも、警告音によって注意を喚起し、スタートスイッチの操作を促すことで人為的ミスの発生を抑制することができる。
また、ボンベやレギュレータ等に接続する必要がなく、手計算も不要で簡易的に残量時間を知ることができると共に、使用限界圧力となったことを警告音で知ることができる。さらに、装置が簡易な構成で済み、安価で小型化を図ることも可能である。
【０００８】
第２の発明に係るポータブルガス流量タイマーは、第１の発明において、前記警告手段が、前記スタートスイッチが操作されてから所定時間経過時に設定した前記圧力と前記流量との確認を促すための警告音を鳴らすことを特徴とする。
このポータブルガス残量タイマーでは、警告手段が、スタートスイッチが操作されてから所定時間経過時に設定した圧力と流量との確認を促すための警告音を鳴らすので、カウントダウンをスタートした後に、設定した圧力と流量とが正しかったかどうかを再確認することを促すことができる。
【０００９】
第３の発明に係るポータブルガス流量タイマーは、第１又は第２の発明において、前記演算手段が、前記ダウンカウント時に前記残り時間に応じて前記ボンベの残圧値を算出し、前記表示部が、前記残圧値も表示することを特徴とする。
このポータブルガス残量タイマーでは、演算手段が、ダウンカウント時に残り時間に応じてボンベの残圧値を算出し、表示部が、残圧値も表示するので、残り時間だけでなく残圧値も簡易的に確認することができる。これにより、現状のボンベの残圧値とタイマーで表示される残圧値とを比較し、差異が大きい場合には再度、設定値を調整することも可能になる。
【００１０】
第４の発明に係るポータブルガス流量タイマーは、第１から第３の発明のいずれかにおいて、前記入力設定操作部が、前記メモリ部に記憶させる前記使用限界圧力を手動で入力設定可能であることを特徴とする。
このポータブルガス残量タイマーでは、入力設定操作部が、メモリ部に記憶させる使用限界圧力を手動で入力設定可能であるので、任意の使用限界圧力に設定することで、より安全性を重視した使用限界圧力に設定することも可能になる。
【００１１】
第５の発明に係るポータブルガス流量タイマーは、第１から第４の発明のいずれかにおいて、前記メモリ部が、前記使用限界圧力として大流量用限界圧力値と前記大流量用限界圧力値よりも小さい小流量用限界圧力値とを予め記憶しており、前記演算手段が、入力された前記流量が所定流量を超えている場合に前記使用限界圧力を前記大流量用限界圧力値に設定して前記算出を行い、入力された前記流量が所定流量以下である場合に前記使用限界圧力を前記小流量用限界圧力値に設定して前記算出を行うことを特徴とする。
このポータブルガス残量タイマーでは、入力された流量が所定流量を超えている場合に使用限界圧力を大流量用限界圧力値に設定して算出を行い、入力された流量が所定流量以下である場合に使用限界圧力を小流量用限界圧力値に設定して算出を行うので、使用流量に応じた圧力減少のばらつきを考慮して安全性を確保しつつ効率的に使用することができる。ボンベの流量は、使用流量が大きいほど圧力値が減少した際の圧力ばらつきが大きくなると共に、使用流量が少ないほど圧力ばらつきが小さくなる傾向がある。このため、入力流量が大きい場合に予想以上に圧力が減少する可能性があることを考慮し、余裕を持って値の大きい大流量用限界圧力値に設定して十分な安全性を確保し、入力流量が小さい場合には安全性を確保しつつ低い圧力値まで使用できるように小流量用限界圧力値に設定して無駄なくガスを使用可能にすることができる。
【発明の効果】
【００１２】
本発明によれば、以下の効果を奏する。
すなわち、本発明に係るポータブルガス残量タイマーによれば、警告手段が、入力設定操作部で圧力と流量との入力がされてから所定の待機時間内にスタートスイッチが操作されなかった場合にスタートスイッチの押し忘れ防止のために警告音を鳴らすので、スタートスイッチの操作を促すことで人為的ミスの発生を抑制することができる。
また、ボンベやレギュレータ等に接続する必要がなく、ボンベやバルブ形式の種類によらずに手計算も不要で簡易的に残量時間を知ることができると共に、使用限界圧力となったことを警告音で知ることができる。さらに、装置が簡易な構成で済み、安価で小型化を図ることも可能である。
したがって、本発明のポータブルガス残量タイマーを採用することにより、医療現場における酸素ボンベ等のガス残量管理において、看護師等による残量管理の負担軽減と人為的ミスの抑制とを低コストで図ることができる。
【図面の簡単な説明】
【００１３】
【図１】本発明に係るポータブルガス残量タイマーの第１実施形態を示す斜視図である。
【図２】第１実施形態において、ポータブルガス残量タイマーの構成を示すブロック図である。
【図３】第１実施形態において、ポータブルガス残量タイマーを示す正面図である。
【図４】第１実施形態において、ポータブルガス残量タイマーを示す裏面図である。
【図５】第１実施形態において、ポータブルガス残量タイマーをボンベに取り付けた状態を示す正面図である。
【図６】第１実施形態において、設定前（ａ）及び設定時（ｂ）における表示部の表示例を示す図である。
【図７】第１実施形態において、ポータブルガス残量タイマーの動作を示すフローチャートである。
【図８】本発明に係るポータブルガス残量タイマーの第２実施形態を示す斜視図である。
【発明を実施するための形態】
【００１４】
以下、本発明に係るポータブルガス残量タイマーの第１実施形態を、図１から図７を参照しながら説明する。
【００１５】
本実施形態のポータブルガス残量タイマーは、看護師等が医療用酸素ボンベ等のボンベの圧力と流量とを入力して酸素等のガス残量をモニタリング可能なユーザ入力型の残量タイマーであって、片手で持ち運び可能な小型なポータブル型装置である。
このポータブルガス残量タイマー１は、図１から図３に示すように、ボンベ（ガスシリンダー）ＧＣの圧力と流量とを手動で入力設定可能でスタートストップスイッチ（スタートスイッチ）２ａを有する入力設定操作部２と、ボンベＧＣの使用限界圧力を記憶しているメモリ部３と、入力された圧力と流量とに基づいてボンベＧＣの圧力が使用限界圧力となるまでの残量時間を算出する演算手段４と、スタートストップスイッチ２ａの押操作によって残量時間のダウンカウントを開始するタイマー手段５と、ダウンカウントされる残量時間の残り時間を表示する表示部６と、残り時間がゼロになったときに警告音を鳴らす警告手段７と、入力設定操作部２、メモリ部３、演算手段４、タイマー手段５、表示部６及び警告手段７とを収納するケース部８とを備えている。
【００１６】
また、このポータブルガス残量タイマー１は、上記の各部及び各手段に電力を供給する乾電池や充電池等のバッテリー部９をケース部８内に内蔵している。なお、ポータブルガス残量タイマー１はポータブル性を得るためにバッテリー部９を有しているが、外部のＡＣ電源から電力を得る電源部を設けても構わない。
【００１７】
上記入力設定操作部２は、図３に示すように、電源のオン／オフを行う電源スイッチ２ｂと、上記ダウンカウントのスタート／ストップを行う上記スタートストップスイッチ２ａと、圧力／流量の入力切り換えを行う切り換えスイッチ２ｃと、圧力又は流量の入力を行う際に入力数値のアップを行うプラススイッチ２ｄ及び数値のダウンを行うマイナススイッチ２ｅとの各ボタンスイッチを有している。
【００１８】
上記演算手段４は、上記算出を含む各種演算を行うと共に、表示部６の制御も行う機能を有している。
また、演算手段４は、ダウンカウント時に残り時間に応じてボンベＧＣの残圧値を算出し、表示部６が、残圧値も表示する機能を有している。
上記演算手段４では、以下の式（１）（２）により残量時間の残り時間を算出している。
ガス残容量＝（（入力されたボンベ圧力−使用限界圧力）／充填圧力値）×ガス容量
・・・（１）
残量時間＝ガス残容量／流量                              ・・・（２）
【００１９】
上記メモリ部３は、上記演算手段４に接続された半導体メモリである。このメモリ部３は、使用限界圧力として大流量用限界圧力値と大流量用限界圧力値よりも小さい小流量用限界圧力値とを予め記憶している。例えば、メモリ部３には、小流量用限界圧力を４ＭＰａとし、大流量用限界圧力を５ＭＰａとして記憶している。
上記警告手段７は、残量時間のダウンカウントを行うカウント部７ａと、警告音を発生させるための小型スピーカ７ｂとを備えている。該小型スピーカ７ｂは、ケース部８の表面側に設置されている。
上記演算手段４とタイマー手段５と警告手段７のカウント部７ａとは、いずれもＩＣ等の回路で構成されている。
【００２０】
上記警告手段７は、入力設定操作部２で圧力と流量との入力がされてから所定の待機時間内にスタートストップスイッチ２ａが押操作されなかった場合にスタートストップスイッチ２ａの押し忘れ防止のために警告音を鳴らす機能を有している。
また、警告手段７は、スタートストップスイッチ２ａが押操作されてから所定時間経過時に設定した圧力と流量との確認を促すための警告音を鳴らす機能も有している。
【００２１】
上記演算手段４は、入力された流量が所定流量を超えている場合に使用限界圧力を大流量用限界圧力値に設定して前記算出を行い、入力された流量が所定流量以下である場合に使用限界圧力を小流量用限界圧力値に設定して前記算出を行う機能を有している。
上記入力設定操作部２は、メモリ部３に記憶させる使用限界圧力を手動で入力設定する機能も有している。
【００２２】
上記表示部６は、ケース部８の表面に配され、入力設定操作部２の各スイッチは、表示部６の下側に配されている。
また、ケース部８の裏面には、図４及び図５に示すように、磁力でボンベＧＣに固定可能な磁石部１０が設けられている。この磁石部１０は、例えばケース部８の裏面に貼り付けられた平板状のマグネットシートである。
【００２３】
上記表示部６は、図６に示すように、残量時間を表示する時間表示領域６ａと、圧力を表示する圧力表示領域６ｂと、流量を表示する流量表示領域６ｃと、バッテリー部９の電池残量（バッテリーレベル）を示すバッテリー量表示領域６ｄとを有している。なお、演算手段４は、バッテリー部９の電圧から電池残量を算出して表示部６のバッテリー量表示領域６ｄに表示する機能を有している。
【００２４】
上記ケース部８は、プラスチック製等の箱型ケースである。
このケース部８には、ストラップ１１を取付可能なストラップ取付部（図示略）が角部に設けられている。このストラップ１１は、ボンベＧＣ上部に掛けておくことができ、移動時にタイマー１が何かに接触して磁石部１０による固定が外れてしまった場合等でも、落下の防止を図ることができる。なお、本実施形態では、ケース部８の裏面が平板状になっているが、円筒形状のボンベＧＣの外周面に沿った曲面状の裏面を採用しても構わない。
【００２５】
なお、図５に示す符号１２は圧力計であり、符号１３は圧力を一定に調節し流量を設定する圧力調整器（高圧ガスレギュレータ）である。
【００２６】
次に、本実施形態のポータブルガス残量タイマー１におけるタイマー設定及び動作の方法について、図７のフローチャートを参照して説明する。
【００２７】
まず、図７に示すように、電源スイッチ２ｂを押してポータブルガス残量タイマー１の電源をＯＮにすると（ステップＳ１）、図６の（ａ）に示すように、表示部６の液晶画面が表示される。次に、圧力／流量の切り換えスイッチ２ｃを押して圧力設定モードに設定すると、圧力表示領域６ｂの表示が点滅する。そして、ボンベＧＣの圧力を圧力計１２から読み取り、プラススイッチ２ｄとマイナススイッチ２ｅとを適宜押してボンベＧＣの現在の圧力値を入力し、設定する（ステップＳ２）。
【００２８】
次に、圧力／流量の切り換えスイッチ２ｃを押して流量設定モードに設定すると、流量表示領域６ｃの表示が点滅する。そして、ボンベＧＣで患者に応じて設定した流量値を、プラススイッチ２ｄとマイナススイッチ２ｅとを適宜押して入力し、設定する（ステップＳ３）。
圧力と流量とが入力されると演算手段４が、使用限界圧力となるまでの残量時間を算出し、表示部６の時間表示領域６ａに表示する（ステップＳ４）。
【００２９】
このとき、入力された流量Ｌが１≦Ｌ≦６ｌ／ｍｉｎである場合は演算手段４が使用限界圧力を小流量用限界圧力（４ＭＰａ）として上記算出を行い、６＜Ｌ≦１５ｌ／ｍｉｎである場合は演算手段４が使用限界圧力を大流量用限界圧力（５ＭＰａ）として上記算出を行う。
なお、これらの予めメモリ部３に記憶している使用限界圧力によらず、新たにメモリ部３に記憶させる使用限界圧力を手動で入力設定することも可能である。その場合、圧力／流量の切り換えスイッチ２ｃを押しながら電源スイッチ２ｂを押すことで使用限界圧力設定モードとする。このとき、圧力表示領域６ｂには現在設定されている使用限界圧力の値が表示されている。この状態で、プラススイッチ２ｄとマイナススイッチ２ｅとを適宜押して任意の使用限界圧力の値を入力し、設定する。
【００３０】
算出された残量時間が表示された状態で、次にスタートストップスイッチ２ａを押すことでタイマー手段５が残量時間のダウンカウントをスタートさせ、表示部６の時間表示領域６ａで残量時間がダウンカウントされて使用限界圧力までの残り時間が点滅表示される（ステップＳ５，Ｓ６）。また、同時に、図６の（ｂ）に示すように、残り時間から逐次算出された残圧値が圧力表示領域６ｂに表示されると共に、設定された流量が流量表示領域６ｃに表示される。さらに、タイマー動作中（カウントダウン中）は、表示部６に「動作中」と点滅表示される。
【００３１】
なお、入力設定操作部２によって圧力と流量との入力がされて残量時間が算出されてから所定の待機時間（例えば５秒間）内にスタートストップスイッチ２ａが押操作されなかった場合に、警告手段７がスタートストップスイッチ２ａの押し忘れ防止のために警告音（例えば、「ピー、ピー、ピー」というアラーム音）を鳴らし続ける（ステップＳ７）。このとき、スタートストップスイッチ２ａを押すことで警告音が停止されると共にタイマー手段５が残量時間のダウンカウントをスタートさせる（ステップＳ８）。
【００３２】
スタートストップスイッチ２ａが押操作され、ダウンカウントのタイマー動作がスタートしてから所定時間（例えば２秒後）経過時に、警告手段７が、設定した圧力と流量との確認を促すための警告音（例えば、「ピッピッ、ピッピッ」というアラーム音）を鳴らす（ステップＳ９）。このとき、入力を行った看護師等は、設定した圧力と流量とが正しいかどうか表示部６の表示を確認し、正しい場合は、再度スタートストップスイッチ２ａを短く押す（例えば１秒未満で短く押す）ことで設定確認の警告音が停止し、そのままダウンカウントが継続する（ステップＳ１０）。
【００３３】
逆に、看護師等が、設定した圧力と流量とが正しいかどうか表示部６の表示を確認し、正しくなかった場合は、スタートストップスイッチ２ａを長押し（例えば１秒以上長押し）することで、再度圧力設定モード（ステップＳ２）に戻って圧力及び流量の再設定が可能になる（ステップＳ１１）。このように警告手段７は、この際にスタートストップスイッチ２ａが押された時間の長短で設定値が正しいか誤っていたかを判断し、ダウンカウントを継続するか再び設定モードに戻るかを決定する。
【００３４】
ダウンカウントが進み、残り時間がゼロになると警告手段７が警告音（例えば、「ピッピッピッピッ、ピッピッピッピッ」）を鳴らして使用限界圧力に達したことを看護師等に知らせる（ステップＳ１２）。同時に、表示部６は時間表示領域６ａを点滅させる。その際、看護師等がスタートストップスイッチ２ａを押すと、警告音が停止される（ステップＳ１３）。
【００３５】
なお、この状態で残量時間を修正するために再設定する場合、スタートストップスイッチ２ａを長押し（例えば１秒以上の長押し）することで、圧力設定モード（ステップＳ２）に戻って再度圧力と流量とを設定し直すことができ、新しい残量時間でダウンカウントが可能になる。
タイマー１の使用を終了する際は、電源スイッチ２ｂを長押し（例えば１秒以上の長押し）することで、電源がＯＦＦとなり、表示部６の表示が消える。なお、タイマー動作中（ダウンカウント中）は、電源スイッチ２ｂは働かないように設定されている。
【００３６】
このように本実施形態のポータブルガス残量タイマー１では、警告手段７が、入力設定操作部２で圧力と流量との入力がされてから所定の待機時間内にスタートストップスイッチ２ａが押操作されなかった場合にスタートストップスイッチ２ａの押し忘れ防止のために警告音を鳴らすので、看護師等が圧力と流量とを入力したがスタートストップスイッチ２ａを押し忘れてしまった場合でも、警告音によって注意を喚起し、スタートストップスイッチ２ａの押操作を促すことで人為的ミスの発生を抑制することができる。
【００３７】
また、ボンベＧＣやレギュレータ等に接続する必要がなく、手計算も不要で簡易的に残量時間を知ることができると共に、使用限界圧力となったことを警告音で知ることができる。さらに、装置が簡易な構成で済み、安価で小型化を図ることも可能である。
また、警告手段７が、スタートストップスイッチ２ａが押操作されてから所定時間経過時に設定した圧力と流量との確認を促すための警告音を鳴らすので、カウントダウンをスタートした後に、設定した圧力と流量とが正しかったかどうかを再確認することを促すことができる。
【００３８】
さらに、演算手段４が、ダウンカウント時に残り時間に応じてボンベＧＣの残圧値を算出し、表示部６が、残圧値も表示するので、残り時間だけでなく残圧値も簡易的に確認することができる。これにより、現状のボンベＧＣの残圧値とタイマーで表示される残圧値とを比較し、差異が大きい場合には再度、設定値を調整することも可能になる。
また、入力設定操作部２が、メモリ部３に記憶させる使用限界圧力を手動で入力設定可能であるので、任意の使用限界圧力に設定することで、より安全性を重視した使用限界圧力に設定することも可能になる。なお、入力ミス等によって通常では設定しない程に小さい使用限界圧力が入力された場合は、安全性を考慮して予め設定した下限値以下の入力ができないように設定しても構わない。
【００３９】
また、入力された流量が所定流量を超えている場合に使用限界圧力を大流量用限界圧力値に設定して算出を行い、入力された流量が所定流量以下である場合に使用限界圧力を小流量用限界圧力値に設定して算出を行うので、使用流量に応じた圧力減少のばらつきを考慮して安全性を確保しつつ効率的に使用することができる。ボンベＧＣの流量は、使用流量が大きいほど圧力値が減少した際の圧力ばらつきが大きくなると共に、使用流量が少ないほど圧力ばらつきが小さくなる傾向がある。このため、入力流量が大きい場合に予想以上に圧力が減少する可能性があることを考慮し、余裕を持って値の大きい大流量用限界圧力値に設定して十分な安全性を確保し、入力流量が小さい場合には安全性を確保しつつ低い圧力値まで使用できるように小流量用限界圧力値に設定して無駄なくガスを使用可能にすることができる。
【００４０】
また、ケース部８の裏面に磁力でボンベＧＣに固定可能な磁石部１０が設けられているので、磁石部１０の磁力によってボンベＧＣに直に固定できると共に容易に着脱することができる。
【００４１】
次に、本発明に係るポータブルガス残量タイマーの第２実施形態について、図８を参照して以下に説明する。なお、以下の実施形態の説明において、上記実施形態において説明した同一の構成要素には同一の符号を付し、その説明は省略する。
【００４２】
第２実施形態と第１実施形態との異なる点は、第１実施形態のポータブルガス残量タイマー１では、入力設定操作部２が全てボタンスイッチで構成されているのに対し、第２実施形態のポータブルガス残量タイマー２１は、図８に示すように、第１実施形態の圧力／流量スイッチとプラススイッチとマイナススイッチとの機能を併せ持つジョグエンコーダスイッチ３２ｃを入力設定操作部３２が有している点である。
【００４３】
すなわち、上記ジョグエンコーダスイッチ３２ｃは、ケース部８の右上角部に設置され、回転可能かつケース部８内側に向けて押し下げクリック可能なジョグダイヤルスイッチである。このジョグエンコーダスイッチ３２ｃは、内側に押し込むことで圧力設定と流量設定との切り換えスイッチ動作が可能であると共に、右回転させることで入力数値のアップを行うことができ、逆に左回転させることで入力数値のダウンを行うことができる。
このように第２実施形態のポータブルガス残量タイマー２１では、複数のボタンスイッチをジョグエンコーダスイッチ３２ｃに統合することで、よりスイッチ操作が容易になる。
【００４４】
なお、本発明の技術範囲は上記各実施形態に限定されるものではなく、本発明の趣旨を逸脱しない範囲において種々の変更を加えることが可能である。
【産業上の利用可能性】
【００４５】
本発明のポータブルガス残量タイマーは、医療用酸素ボンベなどのボンベの残量時間を表示して使用限界圧力になると警報音を鳴らすものである。特に、医療現場の看護業務の効率化、安全性、医療過誤の防止などに大きく貢献できるものである。なお、医療用酸素ボンベだけでなく、各種ガスを入れたボンベにおけるガスの残量タイマーとして利用可能である。
用可能である。
【符号の説明】
【００４６】
１，２１…ポータブルガス残量タイマー、２，３２…入力設定操作部、２ａ…スタートストップスイッチ（スタートスイッチ）、３…メモリ部、４…演算手段、５…タイマー手段、６…表示部、７…警告手段、８…ケース部、１０…磁石部、ＧＣ…ボンベ、
【図１】
2015116358.tif 000003
【図２】
2015116358.tif 000004
【図３】
2015116358.tif 000005
【図４】
2015116358.tif 000006
【図５】
2015116358.tif 000007
【図６】
2015116358.tif 000008
【図７】
2015116358.tif 000009
【図８】
2015116358.tif 000010